(57)【要約】【課題】パワーアンプをバイパスする経路と元の経路との不整合を回避し、送信波と受信波の干渉を低減させることができる送信回路及び送信方法の提供。【解決手段】通常の経路１に加えて、低出力電力時にパワーアンプ６をバイパスする経路２を備える送信回路において、複数のアンテナ９と、複数のアンテナ９を選択するアンテナ切替スイッチ８とを設け、経路１と経路２の各々をアンテナ切替スイッチ８に接続し、各々の経路に対して異なるアンテナを接続する。これにより、経路１と経路２とを分離することができるため不整合の問題を解決できる。また、経路２選択時に、送信信号の伝達経路と受信信号の伝達経路とを分離することができるため送信波と受信波の干渉を低減できる。更に、アンテナ切替スイッチ８で通信に最適なアンテナを選択することができるため、アンテナ選択性の向上を図ることができる。【選択図】図１
2007027881.tif 000002
【特許請求の範囲】
【請求項１】
第１の増幅手段及び第２の増幅手段と、前記第１の増幅手段及び前記第２の増幅手段を通過する第１の経路と前記第１の増幅手段を通過し前記第２の増幅手段をバイパスする第２の経路とを切り替える経路切替スイッチと、複数のアンテナと、前記第１の経路及び前記第２の経路の各々に異なるアンテナを接続するアンテナ切替スイッチと、を少なくとも備えることを特徴とする送信回路。
【請求項２】
Ｉ信号及びＱ信号を直交変調して得られた送信信号を増幅する第１の増幅手段と、前記第１の増幅手段で増幅された前記送信信号が入力され、第１の制御手段の制御信号に基づいて、前記送信信号を第１の経路又は第２の経路のいずれかに切り替える経路切替スイッチと、前記経路切替スイッチの前記第１の経路に配置され、前記送信信号を増幅する第２の増幅手段と、前記第２の増幅手段で増幅された前記送信信号を入出力すると共に、受信回路に接続され、受信信号を入出力するデュプレクサと、第２の制御手段の制御信号に基づいて、前記デュプレクサを通過する前記第１の経路及び前記経路切替スイッチの前記第２の経路の各々に異なるアンテナを接続するアンテナ切替スイッチと、前記アンテナ切替スイッチに接続される複数のアンテナと、を少なくとも備えることを特徴とする送信回路。
【請求項３】
前記第２の制御手段は、前記第１の制御手段のタイミング信号で動作し、前記経路切替スイッチ及び前記アンテナ切替スイッチの切替が同時に行われることを特徴とする請求項２記載の送信回路。
【請求項４】
Ｉ信号及びＱ信号を直交変調して得られた送信信号を増幅する第１の増幅手段と、前記第１の増幅手段で増幅された前記送信信号が入力され、第１の制御手段の制御信号に基づいて、前記送信信号を第１の経路又は第２の経路のいずれかに切り替える経路切替スイッチと、前記経路切替スイッチの前記第１の経路に配置され、前記送信信号を増幅する第２の増幅手段と、前記第２の増幅手段で増幅された前記送信信号を入出力すると共に、受信回路に接続され、受信信号を入出力するデュプレクサと、第２の制御手段の制御信号に基づいて、前記デュプレクサを通過する前記第１の経路に所定のアンテナを接続するアンテナ切替スイッチと、前記アンテナ切替スイッチに接続される複数のアンテナ及び前記経路切替スイッチの前記第２の経路に接続されるアンテナと、を少なくとも備えることを特徴とする送信回路。
【請求項５】
前記第１の経路が選択された場合は、前記送信信号が前記第１の増幅手段及び前記第２の増幅手段で増幅されて所定のアンテナから送信され、
前記第２の経路が選択された場合は、前記送信信号が前記第１の増幅手段で増幅されて他のアンテナから送信され、
前記受信信号は、前記所定のアンテナで受信され、前記第１の経路に配置された前記デュプレクサを通過して前記受信回路に入力され、
前記第１の経路と前記第２の経路とが分離されると共に、前記第２の経路が選択された場合は、前記送信信号の伝達経路と前記受信信号の伝達経路とが分離されることを特徴とする請求項２乃至４のいずれか一に記載の送信回路。
【請求項６】
前記送信信号から所定の周波数成分を除去するバンドパスフィルタが、前記第１の増幅手段と前記経路切替スイッチとの間、又は、前記経路切替スイッチの前記第１の経路のいずれかに配置されていることを特徴とする請求項２乃至５のいずれか一に記載の送信回路。
【請求項７】
請求項１乃至６のいずれか一に記載の送信回路を備えることを特徴とするＷ−ＣＤＭＡ方式の携帯端末。
【請求項８】
少なくとも、第１の増幅手段及び第２の増幅手段と複数のアンテナと経路切替スイッチとアンテナ切替スイッチとを設け、
前記経路切替スイッチを用いて、第１の増幅手段及び第２の増幅手段を通過する第１の経路と、前記第１の増幅手段を通過し前記第２の増幅手段をバイパスする第２の経路と、を切り替え可能にし、
かつ、前記アンテナ切替スイッチを用いて、前記第１の経路及び前記第２の経路の各々に異なるアンテナを接続可能にし、
互いに分離された前記第１の経路又は前記第２の経路のいずれかを用いて信号を送信することを特徴とする送信方法。
【請求項９】
少なくとも、第１の増幅手段及び第２の増幅手段と複数のアンテナと第１の制御手段の制御信号に基づいて動作する経路切替スイッチと第２の制御手段の制御信号に基づいて動作するアンテナ切替スイッチとを設け、
前記経路切替スイッチを用いて、Ｉ信号及びＱ信号を直交変調して得られた送信信号を増幅する前記第１の増幅手段と前記第１の増幅手段で増幅された前記送信信号を増幅する第２の増幅手段と前記第２の増幅手段で増幅された前記送信信号を入出力すると共に、受信回路に接続され、受信信号を入出力するデュプレクサとを通過する第１経路と、前記第１の増幅手段を通過し前記第２の増幅手段及び前記デュプレクサをバイパスする第２の経路と、を切り替え可能にし、
かつ、前記アンテナ切替スイッチを用いて、前記第１の経路及び前記第２の経路の各々に異なるアンテナを接続可能にし、
互いに分離された前記第１の経路又は前記第２の経路のいずれかを用いて前記送信信号を送信すると共に、前記第２の経路選択時に、前記送信信号の伝達経路と前記受信信号の伝達経路とを分離して相互干渉を抑制することを特徴とする送信方法。
【請求項１０】
前記第２の制御手段を、前記第１の制御手段のタイミング信号で動作させ、前記経路切替スイッチ及び前記アンテナ切替スイッチの切替を同時に行うことを特徴とする請求項９記載の送信方法。
【請求項１１】
少なくとも、第１の増幅手段及び第２の増幅手段と複数のアンテナと第１の制御手段の制御信号に基づいて動作する経路切替スイッチと第２の制御手段の制御信号に基づいて動作するアンテナ切替スイッチとを設け、
前記経路切替スイッチを用いて、Ｉ信号及びＱ信号を直交変調して得られた送信信号を増幅する前記第１の増幅手段と前記第１の増幅手段で増幅された前記送信信号を増幅する第２の増幅手段と前記第２の増幅手段で増幅された前記送信信号を入出力すると共に、受信回路に接続され、受信信号を入出力するデュプレクサとを通過する第１経路と、前記第１の増幅手段を通過し前記第２の増幅手段及び前記デュプレクサをバイパスする第２の経路と、を切り替え可能にし、
かつ、前記アンテナ切替スイッチを用いて、前記第１の経路に接続されるアンテナを選択可能にすると共に、前記第２の経路に他のアンテナを接続し、
互いに分離された前記第１の経路又は前記第２の経路のいずれかを用いて前記送信信号を送信すると共に、前記第２の経路選択時に、前記送信信号の伝達経路と前記受信信号の伝達経路とを分離して相互干渉を抑制することを特徴とする送信方法。
【請求項１２】
前記送信信号から所定の周波数成分を除去するバンドパスフィルタを、不要周波数成分の大きさに基づいて、前記第１の増幅手段と前記経路切替スイッチとの間、又は、前記経路切替スイッチの前記第１の経路のいずれかに配置することを特徴とする請求項９乃至１１のいずれか一に記載の送信方法。
【発明の詳細な説明】
【技術分野】
【０００１】
本発明は、送信回路及び送信方法に関し、特に、Ｗ−ＣＤＭＡ（Wideband Code Division Multiple Access）方式を用いる携帯端末における送信回路及び送信方法に関する。
【背景技術】
【０００２】
携帯端末の通信方式として、ＴＤＭＡ（Time Division Multiple Access：時分割多元接続）やＦＤＭＡ（Frequency Division Multiple Access：周波数分割多元接続）、ＣＤＭＡ（Code Division Multiple Access：符号分割多元接続）などの方式がある。上記方式のうち、ＴＤＭＡやＦＤＭＡでは、マルチパスの１つを受信すべき信号とした場合に他の信号は受信すべき信号を妨害する雑音となるが、ＣＤＭＡでは、マルチパスを個別のパスに分離してフィンガに割り当て、割り当てられた複数のパスの信号を合成することにより全てのパスの信号を受信すべき信号として処理することができ、受信感度を上げることができるという特徴がある。特に、Ｗ−ＣＤＭＡは広い帯域の周波数を利用することにより高速な通信が可能になることから、第３世代の携帯電話機の通信方式として注目されている。
【０００３】
このＷ−ＣＤＭＡ方式を用いる携帯端末の送信回路においては、ゲインのコントロールとして一般的にＡＧＣ（Auto Gain Control）アンプとパワーアンプの組み合わせが用いられる。この２種類のアンプの内、パワーアンプは高出力電力時に必要不可欠であるが、低出力電力時には必ずしも必要ではなく、むしろパワーアンプで消費される電流が問題となってくる。
【０００４】
この問題を解決する方法としてパワーアンプをバイパス制御する方法がある。例えば、下記特許文献１には、送信回路にドライバアンプの入力信号をバイパスする第１のスイッチと、パワーアンプの入力信号をバイパスする第２のスイッチと、ドライバアンプ及びパワーアンプの電源をオン／オフ制御する制御器を備える構成が開示されている。また、下記特許文献２には、送信回路にドライバアンプの入力信号をバイパスする第１のスイッチと、パワーアンプの入力信号をバイパスする第２のスイッチと、パワーアンプからの分岐出力から補正用利得制御増幅器の制御電圧を生成する補正手段と、ドライバアンプ及びパワーアンプの電源をオン／オフ制御する制御手段とを備える構成が開示されている。また、下記特許文献３には、入力信号を２経路に切り替える第１切替スイッチと、一方の経路に出力される信号を増幅する増幅手段と、増幅手段の出力側に接続され、入力信号の増幅時に第１切替スイッチとサーキュレータとを切り離し、入力信号の非増幅時に第１切替スイッチから他の経路に出力される信号をサーキュレータに出力する第２切替スイッチと、増幅手段のドレイン電流及びゲート電流を増幅時にのみオンとする第３切替スイッチと、第１〜第３切替スイッチの切替動作を制御する制御手段とを備える構成が開示されている。
【０００５】
【特許文献１】特開平１０−１５０４２９号公報（第３−５頁、第１図）
【特許文献２】特開平１０−３０３７６２号公報（第３−９頁、第１図）
【特許文献３】特開２０００−０７８０３５号公報（第３−１１頁、第１図）
【発明の開示】
【発明が解決しようとする課題】
【０００６】
上記特許文献に記載された送信回路ではパワーアンプをバイパスすることができるため、消費電力を低減することができるが、送信波はパワーアンプをバイパスした後に元の経路に戻されるため、バイパスする経路と元の経路との結合部分で不整合が起きやすいという問題がある。
【０００７】
また、上記特許文献に記載された送信回路では、送信波と受信波とが同じアンテナを共有するため、送信波と受信波の干渉が生じやすいという問題もある。
【０００８】
本発明は、上記問題点に鑑みてなされたものであって、その第１の目的は、パワーアンプをバイパスする経路を備える構成において、バイパスする経路と元の経路との不整合を回避することができる送信回路及び送信方法を提供することにある。
【０００９】
また、本発明の第２の目的は、送信波と受信波の干渉を低減させることができる送信回路及び送信方法を提供することにある。
【課題を解決するための手段】
【００１０】
上記目的を達成するため、本発明の送信回路は、第１の増幅手段及び第２の増幅手段と、前記第１の増幅手段及び前記第２の増幅手段を通過する第１の経路と前記第１の増幅手段を通過し前記第２の増幅手段をバイパスする第２の経路とを切り替える経路切替スイッチと、複数のアンテナと、前記第１の経路及び前記第２の経路の各々に異なるアンテナを接続するアンテナ切替スイッチと、を少なくとも備えるものである。
【００１１】
また、本発明の送信回路は、Ｉ信号及びＱ信号を直交変調して得られた送信信号を増幅する第１の増幅手段と、前記第１の増幅手段で増幅された前記送信信号が入力され、第１の制御手段の制御信号に基づいて、前記送信信号を第１の経路又は第２の経路のいずれかに切り替える経路切替スイッチと、前記経路切替スイッチの前記第１の経路に配置され、前記送信信号を増幅する第２の増幅手段と、前記第２の増幅手段で増幅された前記送信信号を入出力すると共に、受信回路に接続され、受信信号を入出力するデュプレクサと、第２の制御手段の制御信号に基づいて、前記デュプレクサを通過する前記第１の経路及び前記経路切替スイッチの前記第２の経路の各々に異なるアンテナを接続するアンテナ切替スイッチと、前記アンテナ切替スイッチに接続される複数のアンテナと、を少なくとも備えるものである。
【００１２】
本発明においては、前記第２の制御手段は、前記第１の制御手段のタイミング信号で動作し、前記経路切替スイッチ及び前記アンテナ切替スイッチの切替が同時に行われる構成とすることができる。
【００１３】
また、本発明の送信回路は、Ｉ信号及びＱ信号を直交変調して得られた送信信号を増幅する第１の増幅手段と、前記第１の増幅手段で増幅された前記送信信号が入力され、第１の制御手段の制御信号に基づいて、前記送信信号を第１の経路又は第２の経路のいずれかに切り替える経路切替スイッチと、前記経路切替スイッチの前記第１の経路に配置され、前記送信信号を増幅する第２の増幅手段と、前記第２の増幅手段で増幅された前記送信信号を入出力すると共に、受信回路に接続され、受信信号を入出力するデュプレクサと、第２の制御手段の制御信号に基づいて、前記デュプレクサを通過する前記第１の経路に所定のアンテナを接続するアンテナ切替スイッチと、前記アンテナ切替スイッチに接続される複数のアンテナ及び前記経路切替スイッチの前記第２の経路に接続されるアンテナと、を少なくとも備えるものである。
【００１４】
本発明においては、前記第１の経路が選択された場合は、前記送信信号が前記第１の増幅手段及び前記第２の増幅手段で増幅されて所定のアンテナから送信され、前記第２の経路が選択された場合は、前記送信信号が前記第１の増幅手段で増幅されて他のアンテナから送信され、前記受信信号は、前記所定のアンテナで受信され、前記第１の経路に配置された前記デュプレクサを通過して前記受信回路に入力され、前記第１の経路と前記第２の経路とが分離されると共に、前記第２の経路が選択された場合は、前記送信信号の伝達経路と前記受信信号の伝達経路とが分離される構成とすることができる。
【００１５】
また、本発明においては、前記送信信号から所定の周波数成分を除去するバンドパスフィルタが、前記第１の増幅手段と前記経路切替スイッチとの間、又は、前記経路切替スイッチの前記第１の経路のいずれかに配置されている構成とすることができる。
【００１６】
また、本発明のＷ−ＣＤＭＡ方式の携帯端末は、上記いずれか一に記載の送信回路を備えることを特徴とする。
【００１７】
また、本発明の送信方法は、少なくとも、第１の増幅手段及び第２の増幅手段と複数のアンテナと経路切替スイッチとアンテナ切替スイッチとを設け、前記経路切替スイッチを用いて、第１の増幅手段及び第２の増幅手段を通過する第１の経路と、前記第１の増幅手段を通過し前記第２の増幅手段をバイパスする第２の経路と、を切り替え可能にし、かつ、前記アンテナ切替スイッチを用いて、前記第１の経路及び前記第２の経路の各々に異なるアンテナを接続可能にし、互いに分離された前記第１の経路又は前記第２の経路のいずれかを用いて信号を送信するものである。
【００１８】
また、本発明の送信方法は、少なくとも、第１の増幅手段及び第２の増幅手段と複数のアンテナと第１の制御手段の制御信号に基づいて動作する経路切替スイッチと第２の制御手段の制御信号に基づいて動作するアンテナ切替スイッチとを設け、前記経路切替スイッチを用いて、Ｉ信号及びＱ信号を直交変調して得られた送信信号を増幅する前記第１の増幅手段と前記第１の増幅手段で増幅された前記送信信号を増幅する第２の増幅手段と前記第２の増幅手段で増幅された前記送信信号を入出力すると共に、受信回路に接続され、受信信号を入出力するデュプレクサとを通過する第１経路と、前記第１の増幅手段を通過し前記第２の増幅手段及び前記デュプレクサをバイパスする第２の経路と、を切り替え可能にし、かつ、前記アンテナ切替スイッチを用いて、前記第１の経路及び前記第２の経路の各々に異なるアンテナを接続可能にし、互いに分離された前記第１の経路又は前記第２の経路のいずれかを用いて前記送信信号を送信すると共に、前記第２の経路選択時に、前記送信信号の伝達経路と前記受信信号の伝達経路とを分離して相互干渉を抑制するものである。
【００１９】
本発明においては、前記第２の制御手段を、前記第１の制御手段のタイミング信号で動作させ、前記経路切替スイッチ及び前記アンテナ切替スイッチの切替を同時に行う構成とすることができる。
【００２０】
また、本発明の送信方法は、少なくとも、第１の増幅手段及び第２の増幅手段と複数のアンテナと第１の制御手段の制御信号に基づいて動作する経路切替スイッチと第２の制御手段の制御信号に基づいて動作するアンテナ切替スイッチとを設け、前記経路切替スイッチを用いて、Ｉ信号及びＱ信号を直交変調して得られた送信信号を増幅する前記第１の増幅手段と前記第１の増幅手段で増幅された前記送信信号を増幅する第２の増幅手段と前記第２の増幅手段で増幅された前記送信信号を入出力すると共に、受信回路に接続され、受信信号を入出力するデュプレクサとを通過する第１経路と、前記第１の増幅手段を通過し前記第２の増幅手段及び前記デュプレクサをバイパスする第２の経路と、を切り替え可能にし、かつ、前記アンテナ切替スイッチを用いて、前記第１の経路に接続されるアンテナを選択可能にすると共に、前記第２の経路に他のアンテナを接続し、互いに分離された前記第１の経路又は前記第２の経路のいずれかを用いて前記送信信号を送信すると共に、前記第２の経路選択時に、前記送信信号の伝達経路と前記受信信号の伝達経路とを分離して相互干渉を抑制するものである。
【００２１】
本発明においては、前記送信信号から所定の周波数成分を除去するバンドパスフィルタを、不要周波数成分の大きさに基づいて、前記第１の増幅手段と前記経路切替スイッチとの間、又は、前記経路切替スイッチの前記第１の経路のいずれかに配置する構成とすることができる。
【００２２】
このように、本発明では、第１の増幅手段及び第２の増幅手段を配置する第１の経路と、第１の増幅手段を配置し第２の増幅手段をバイパスする第２の経路とを設け、第１の経路及び第２の経路の各々に異なるアンテナを接続することにより、第１の経路と第２の経路とを分離することができるため、不整合の問題を解決することができる。また、信号の受信に利用されるアンテナを第１の経路に接続することにより、第２の経路選択時に、送信信号の伝達経路と受信信号の伝達経路とを分離することができるため、送信信号と受信信号の干渉を低減させることができる。
【発明の効果】
【００２３】
本発明のＷ−ＣＤＭＡ方式の通信端末における送信回路及び送信方法によれば、下記記載の効果を奏する。
【００２４】
本発明の第１の効果は、ＡＧＣアンプ及びパワーアンプを配置する経路（経路１）とＡＧＣアンプを配置しパワーアンプをバイパスする経路（経路２）の不整合を回避することができるということである。その理由は、経路１と経路２の各々に対して異なるアンテナを接続しているため、経路１と経路２とを分離することができるからである。
【００２５】
また、本発明の第２の効果は、送信波と受信波の干渉を低減することができるということである。その理由は、信号の受信に利用されるアンテナを経路１に接続しているため、経路２選択時に、送信信号の伝達経路と受信信号の伝達経路とを分離することができるからである。
【００２６】
また、第３の効果は、アンテナの選択性を向上させることができるということである。その理由は、複数のアンテナに対して送信と受信でそれぞれ別のアンテナが選択可能となるからである。
【発明を実施するための最良の形態】
【００２７】
従来技術で示したように、ＡＧＣ（可変利得）アンプとパワーアンプを同時に持つようなＷ−ＣＤＭＡ携帯端末の送信回路において、低出力電力時にパワーアンプをバイパスすることにより、送信時の消費電流を低減し、送信電力のダイナミックレンジを拡大することができるが、従来の送信回路では、送信波はパワーアンプをバイパスした後に元の経路に戻されるため、バイパスする経路と元の経路との結合部分で不整合が起きやすく、また、送信波と受信波が同じアンテナを共有するため、送信波と受信波の干渉が生じやすいという問題があった。
【００２８】
そこで、本発明では、低出力電力時にパワーアンプをバイパスする経路を備える回路構成をもつ送信回路において、複数のアンテナと、該複数のアンテナを選択するためのアンテナ切替スイッチとを設け、パワーアンプのバイパスする経路と元の経路の各々をアンテナ切替スイッチに接続し、各々の経路に対して異なるアンテナを接続する。これにより、元の経路とバイパス経路とを分離することができ、不整合の問題を解決することができる。また、信号の受信に利用されるアンテナを元の経路に接続した場合は、バイパス経路選択時に送信信号の伝達経路と受信信号の伝達経路とを分離することができ、ＴＸ／ＲＸのアイソレーションを向上させて干渉を低減させることができる。更に、アンテナ切替スイッチで複数のアンテナの中から通信に最適なアンテナを選択できるため、アンテナ選択性の向上を図ることができる。
【実施例１】
【００２９】
上記した本発明の実施の形態についてさらに詳細に説明すべく、本発明の第１の実施例に係るＷ−ＣＤＭＡ方式の通信端末における送信回路及び送信方法について、図１及び図２を参照して説明する。図１は、本実施例に係る送信回路の構成を示すブロック図であり、図２は、本実施例に係る送信回路の動作を示すフローチャート図である。
【００３０】
図１に示すように、本実施例の回路は送信波を出力する送信部と、受信波を受信し復調を行う受信部とからなり、送信部は、直交変調器１と、ＡＧＣアンプ２と、ＡＧＣ制御部３と、ＢＰＦ（Band Pass Filter）４と、経路切替スイッチ５と、パワーアンプ６と、デュプレクサ７と、アンテナ切替スイッチ８と、複数のアンテナ９と、アンテナ制御部１０とを主な構成要素としている。
【００３１】
図１中のＩ，Ｑはベースバンドから送出されるデータ信号であり、直交変調器１は、Ｉ／Ｑ信号を合成し、ベースバンド周波数をＲＦ帯の周波数にアップコンバートする。ＡＧＣアンプ２は、外部のアナログ電圧によりゲインを可変できるアンプであり、直交変調器１から出力された信号を増幅させる。ＡＧＣ制御部３は、ＡＧＣアンプ２のゲインをアナログ電圧で制御し、アンテナ９から放射される送信電力を可変する。ＢＰＦ４は、ＡＧＣアンプ２から出力された信号から不要周波数の成分を除去する。
【００３２】
また、経路切替スイッチ５は、ＡＧＣ制御部３から送出される制御信号により経路１と経路２の選択を行う。パワーアンプ６は、ゲイン固定のアンプであり、ＢＰＦ４から出力された信号を増幅する。デュプレクサ７は、送信部が接続され送信波が入力される端子と、受信部が接続され受信波を出力する端子と、アンテナ切替スイッチ８と接続され、送信波を出力すると同時に受信波が入力される端子の合計３つの端子を備え、それぞれＢＰＦ４と同様に不要周波数の成分を除去する。
【００３３】
また、アンテナ切替スイッチ８は、アンテナ制御部１０から送出される制御信号により複数のアンテナ９の中から送受信に最適なアンテナ９を選択するための切り替えを行い、複数のアンテナ９が接続される複数のポート（図１では例としてＴ１〜Ｔ４の４つ）と、経路１に接続されるポートＰ１と、パワーアンプ６をバイパスする経路２に接続されるポートＰ２とを備えている。なお、図１では、２つの経路（経路１及び経路２）に対して、４つのアンテナ９が選択できる構成としているが、複数の経路の各々に対して異なるアンテナが選択できるように構成されていればよい。
【００３４】
また、アンテナ制御部１０は、通信端末の状態により、送受信に最適なアンテナ９を選択するものであり、パワーアンプ６がバイパスされた時に、送信と受信とで異なるアンテナ９を選択することが可能である。このアンテナ切り替えのタイミングは、ＡＧＣ制御部３より送られてくるタイミング信号により決定される。
【００３５】
このように、ＡＧＣアンプ２とパワーアンプ６の双方を備える送信回路において、送信波がＡＧＣアンプ２とパワーアンプ６とを通過する経路１に加えて、ＡＧＣアンプ２のみ通過し、パワーアンプ６をバイパスしてアンテナ切替スイッチ８に直接繋がる経路２を設け、経路切替スイッチ５で経路１、２を切り替える可能にすることにより、所望の出力電力が高い時は、送信波がＡＧＣアンプ２とパワーアンプ６を通過する経路１を選択して高利得を得ることができ、一方、所望の出力電力がＡＧＣアンプ２のみで出力することが可能なほど低い時は、パワーアンプ６をバイパスさせてパワーアンプ６の電源を全てＯＦＦにして電流を削減することができる。
【００３６】
また、経路の数以上のアンテナ９と、アンテナ切替スイッチ８とを設けることにより、送信と受信で異なるアンテナを選択することが可能となるため、経路１と経路２との不整合を回避することができ、また、Ｐ１には受信特性の優れているアンテナを接続し、Ｐ２には送信特性の優れているアンテナを接続するなど送信と受信で別のアンテナ選択が可能となるため、アンテナの選択性を向上させることができる。
【００３７】
また、図１に示すように、ポートＰ１とＴ１が接続され、Ｐ２とＴ２が接続された状態において、経路１が選択されている場合は、送信波は従来どおりパワーアンプ６、デュプレクサ７を通ってアンテナ切替スイッチ８へ入力され、選択されたアンテナ（ＡＮＴ１）より放射され、このアンテナより受信した受信波は従来どおり、デュプレクサ７を通過した後、受信部へと入力されるが、経路２が選択された場合は、受信波については従来どおり選択されたアンテナ（ＡＮＴ１）より入力されるのに対して、送信波はＢＰＦ４から出力された送信波がアンテナ切替スイッチ８のポートＰ２へ入力され、Ｔ２に接続されて他のアンテナ（ＡＮＴ２）より放射される。従って、第２の経路が選択された場合は、送信波と受信波は違う経路を通るため、アイソレーションの向上を図り、送信波と受信波の干渉を低減することができる。
【００３８】
次に、上記構成の送信回路を用いた送信手順について、図２のフローチャート図を参照して説明する。
【００３９】
まず、ステップＳ１０１で、出力予定の送信電力がＡＧＣ制御部３に指定される。
【００４０】
次に、ステップＳ１０２で、ＡＧＣ制御部３では出力予定の送信電力を経路１及び経路２のどちらで出力するか判定する。このとき、判定の基準となる送信電力閾値をＰｏｔｈとする。そして、送信電力≧Ｐｏｔｈの場合、ステップＳ１０３で経路１を選択し、送信電力＜Ｐｏｔｈの場合、ステップＳ１０５で経路２を選択する。
【００４１】
次に、経路１を選択した場合、ＡＧＣ制御部３は即時に経路切替スイッチ５を経路１側に設定すると同時に、アンテナ制御部１０へタイミング信号を送出する。そして、ステップＳ１０４で、アンテナ制御部１０では、タイミング信号を受信すると同時に、アンテナの選択を行う。
【００４２】
一方、経路２を選択した場合、ＡＧＣ制御部３は即時に経路切替スイッチ５を経路２側に設定すると同時に、アンテナ制御部１０へタイミング信号を送出する。そして、ステップＳ１０６で、アンテナ制御部１０ではタイミング信号を受信すると同時に、送信、受信それぞれ最適なアンテナを選択する。
【００４３】
その後、ステップＳ１０７で、各々の経路に対して選択された最適なアンテナで送信電力が出力され、ステップＳ１０８で、ＡＧＣ制御部３に指定される送信電力値が変更される度に、ＡＧＣ制御部３は上記判定動作を行う。
【００４４】
このように、ＡＧＣアンプ２とパワーアンプ６の双方を備える送信回路において、送信波がＡＧＣアンプ２とパワーアンプ６とを通過する経路１と、ＡＧＣアンプ２のみ通過し、パワーアンプ６をバイパスしてアンテナ切替スイッチ８に繋がる経路２とを設け、かつ、経路の数以上のアンテナ９を設け、アンテナ切替スイッチ８で各々の経路に対して異なるアンテナ９を接続できるようにすることにより、低出力電力時にパワーアンプ６の消費電力を低減することができ、また、経路１と経路２とを分離して不整合の問題を回避することができ、経路２選択時に送信信号の伝達経路と受信信号の伝達経路とを分離して送信波と受信波の干渉を低減することができる。更に、最適なアンテナを選択可能にして通信端末の性能を向上させることができる。
【実施例２】
【００４５】
次に、本発明の第２の実施例に係るＷ−ＣＤＭＡ方式の通信端末における送信回路及び送信方法について、図３を参照して説明する。図３は、本実施例に係る送信回路の構成を示すブロック図である。
【００４６】
前記した第１の実施例では、ＢＰＦ４でＡＧＣアンプ２から出力された信号から不要周波数の成分を除去した後に、経路切替スイッチ５でＡＧＣアンプ２とパワーアンプ６の双方を通過する経路１とパワーアンプ６をバイパスする経路２の切り替えを行ったが、低出力時のＡＧＣアンプ２後の送信波において、不要周波数の成分が十分に小さく問題にならないような場合には、図３に示すように、経路切替スイッチ５をＢＰＦ４の前段に挿入することもできる。この構成の場合、第１の実施例の効果に加えて、ＢＰＦ４による希望波の減衰を防ぐことができる。
【実施例３】
【００４７】
次に、本発明の第３の実施例に係るＷ−ＣＤＭＡ方式の通信端末における送信回路及び送信方法について、図４を参照して説明する。図４は、本実施例に係る送信回路の構成を示すブロック図である。
【００４８】
前記した第１及び第２の実施例では、経路１及び経路２共にアンテナ切替スイッチ８に接続して複数のアンテナ９の中から最適なアンテナを選択できるようにしたが、例えば、図４に示すように、低出力電力時の経路２をアンテナ切替スイッチ８には接続せず、送信専用のアンテナを設けて直接接続する構成とすることもできる。この構成の場合、第１の実施例の効果に加えて、アンテナ切り替え制御を簡単化することができる。
【実施例４】
【００４９】
次に、本発明の第４の実施例に係るＷ−ＣＤＭＡ方式の通信端末における送信回路及び送信方法について、図５を参照して説明する。図５は、本実施例に係る送信回路の構成を示すブロック図である。
【００５０】
前記した第２の実施例では、経路切替スイッチ５をＢＰＦ４の前段に挿入し、第３の実施例では、低出力電力時の経路２をアンテナ切替スイッチ８には接続せず、送信専用のアンテナを設けて直接接続したが、これらを組み合わせることにより、図５のような回路構成とすることもできる。このような構成とすることにより、第１の実施例の効果に加えて、ＡＧＣ制御部３により経路切替スイッチ５の制御のみを行うだけで、簡単に低減衰の送信回路を実現することができる。
【００５１】
なお、本発明は上記実施例の記載に限定されるものではなく、複数のアンプと複数のアンテナを備え、全てのアンプを通過する経路と少なくとも１つのアンプをバイパスする経路とを選択することができ、各々の経路に対して異なるアンテナを接続することができ、かつ、少なくとも１つの経路では複数のアンテナの中から所望のアンテナを選択することができる構成であればよい。
【産業上の利用可能性】
【００５２】
本発明は、携帯電話端末や携帯端末装置など、Ｗ−ＣＤＭＡ方式を用いた任意の無線通信端末に適用することができる。
【図面の簡単な説明】
【００５３】
【図１】本発明の第１の実施例に係る送信回路の構成を示すブロック図である。
【図２】本発明の第１の実施例に係る送信回路の動作を示すフローチャート図である。
【図３】本発明の第２の実施例に係る送信回路の構成を示すブロック図である。
【図４】本発明の第３の実施例に係る送信回路の構成を示すブロック図である。
【図５】本発明の第４の実施例に係る送信回路の構成を示すブロック図である。
【符号の説明】
【００５４】
１  直交変調器
２  ＡＧＣアンプ
３  ＡＧＣ制御部
４  ＢＰＦ
５  経路切替スイッチ
６  パワーアンプ
７  デュプレクサ
８  アンテナ切替スイッチ
９  アンテナ
１０  アンテナ制御部
【図１】
2007027881.tif 000003
【図２】
2007027881.tif 000004
【図３】
2007027881.tif 000005
【図４】
2007027881.tif 000006
【図５】
2007027881.tif 000007